(57)【要約】【課題】ユーザがいちいち直接に介在しなくても携帯端末装置に対するデータ処理を行うことができるデータバックアップシステム及びデータバックアップ方法を提供する。【解決手段】携帯端末装置２００側では、データ蓄積部２０２に各種データを記憶するとともに、データ管理部２０３でデータ蓄積の履歴を管理し、電源供給装置１００側では、メモリ部１０２に携帯端末装置２００に転送するデータを一時的に記憶させ、またメモリ部１０２に記憶されているデータのユーザによる選択を可能とし、携帯端末装置２００に対する充電時に携帯端末装置２００のデータ管理部２０３の内容を読み取り、その内容に基づきユーザが選択したメモリ部１０２のデータの携帯端末装置２００への転送又はユーザが選択したメモリ部１０２のデータと携帯端末装置２００のデータ蓄積部２０２のデータとの交換又はデータ蓄積部２０２のデータのバックアップを行う。【選択図】図２
2006211008.tif 000002
【特許請求の範囲】
【請求項１】
携帯端末装置と該携帯端末装置に充電用の電源を供給する電源供給装置との間でデータ転送、データ交換、データバックアップを行うデータバックアップシステムであって、
前記携帯端末装置側に、
画像データ、音声データ、メールデータを含む各種データを記憶する第１のデータ記憶手段と、
前記第１のデータ記憶手段におけるデータ記憶の履歴を管理するデータ管理手段と、
前記電源供給装置との間のデータ授受を制御する端末側制御手段と、
を備え、
前記電源供給装置側に、
前記携帯端末装置に転送するデータを一時的に記憶する第２の記憶手段と、
ユーザの操作により前記第２の記憶手段に記憶されているデータを選択するデータ選択手段と、
前記電源供給装置による前記携帯端末装置の充電時に前記端末側制御手段と通信を行い、前記携帯端末装置の前記データ管理手段が管理している履歴を読み取り、該履歴に基づき前記データ選択手段で選択されたデータの前記携帯端末装置への転送又は前記データ選択手段で選択されたデータと前記携帯端末装置のデータとの交換又は前記携帯端末装置のデータのバックアップを行う電源供給側制御手段と、
を備えるデータバックアップシステム。
【請求項２】
前記データ管理手段は、データ毎に閲覧の有無、閲覧後の廃棄設定の有無、閲覧後の保存設定の有無を管理し、
前記電源供給側制御手段は、閲覧済みで廃棄設定されているデータを削除し、閲覧済みで保存設定されているデータをバックアップする請求項１に記載のデータバックアップシステム。
【請求項３】
前記電源供給側制御手段は、前記データ選択手段で選択されたデータを前記携帯端末装置に転送する際に前記第１のデータ記憶手段の空き容量を確認し、空き容量が無い場合には警告を発し、空き容量が有る場合には前記データ選択手段で選択されたデータを前記携帯端末装置に転送する請求項１又は請求項２に記載のデータバックアップシステム。
【請求項４】
前記電源供給側制御手段は、パーソナルコンピュータを含む情報機器からのデータを取得して前記第２の記憶手段に記憶させる請求項１乃至請求項３のいずれかに記載のデータバックアップシステム。
【請求項５】
前記電源供給装置側に、
タイマ時間をユーザが任意設定可能なタイマ手段を備え、
前記電源供給側制御手段は、前記タイマ手段で設定されたタイマ時間に前記情報機器からのデータを取得して前記第２の記憶手段に記憶させる請求項４に記載のデータバックアップシステム。
【請求項６】
充電可能な電池を持ち該電池により動作する携帯端末装置であって、
画像データ、音声データ、メールデータを含む各種データを記憶するデータ記憶手段と、
前記データ記憶手段の履歴を管理するデータ管理手段と、
充電用の電源を出力する電源供給装置との間のデータ授受を制御する端末側制御手段と、
を備える携帯端末装置。
【請求項７】
携帯端末装置に充電用の電源を供給する電源供給装置であって、
前記携帯端末装置に転送するデータを一時的に記憶する記憶手段と、
ユーザの操作により前記記憶手段に記憶されているデータを選択するデータ選択手段と、
前記携帯端末装置の充電時に該携帯端末装置と通信を行い、該携帯端末装置が扱った画像データ、音声データ、メールデータを含む各種データの履歴内容に基づき、前記データ選択手段で選択されたデータの前記携帯端末装置への転送又は前記データ選択手段で選択されたデータと前記携帯端末装置のデータとの交換又は前記携帯端末装置のデータのバックアップを行う電源供給側制御手段と、
を備える電源供給装置。
【請求項８】
携帯端末装置と該携帯端末装置に充電用の電源を供給する電源供給装置との間でデータ転送、データ交換、データバックアップを行うデータバックアップ方法であって、
前記携帯端末装置側では、画像データ、音声データ、メールデータを含む各種データを記憶するとともにデータ記憶に関する履歴を管理し、
前記電源供給装置側では、前記携帯端末装置に転送するデータを一時的に記憶し、また記憶したデータのユーザによる選択を可能とし、前記携帯端末装置を充電する時に前記携帯端末装置におけるデータ記憶に関する履歴を読み取り、該情報に基づき、ユーザが選択したデータの前記携帯端末装置への転送又はユーザが選択したデータと前記携帯端末装置が蓄積しているデータとの交換又は蓄積しているデータのバックアップを行うデータバックアップ方法。
【発明の詳細な説明】
【技術分野】
【０００１】
本発明は、携帯電話やＰＤＡ（Personal Digital Assistant）等の携帯端末装置に用いて好適なデータバックアップシステム及びデータバックアップ方法に関する。
【背景技術】
【０００２】
近年、携帯電話やＰＤＡ等の携帯端末装置には、オーディオプレーヤ、テレビ、デジタルスチルカメラ、ゲームを主としたマルチプレーヤ等の映像、音楽、情報を扱う電子機器のデータを利用できるものが開発されている。また、それらのデータを扱うことから、データを蓄積するためのメモリも年々大容量化してきており、データのバックアップの重要度が大きくなってきている。なお、携帯電話の電話番号をバックアップするための方法が提案されている（例えば、特許文献１参照）。
【０００３】
【特許文献１】特開２００１−２８５４５１号公報
【発明の開示】
【発明が解決しようとする課題】
【０００４】
しかしながら、従来の携帯端末装置におけるデータ処理にあっては、次のような問題がある。すなわち、リアルタイムに情報を得るには常に情報をモニタし続ける必要があるが、現実的ではなくビデオのようにタイムシフトを実現し、ユーザの生活環境に沿ってユーザが得たいと思うときに得られる環境が望まれるのに対し、従来の携帯端末装置のデータ処理にあってはユーザがいちいち直接に介在しないとできない。
【０００５】
本発明は、係る事情に鑑みてなされたものであり、ユーザがいちいち直接に介在しなくとも携帯端末装置に対するデータ処理を行うことができるデータバックアップシステム及びデータバックアップ方法を提供することを目的とする。
【課題を解決するための手段】
【０００６】
本発明の目的は、下記構成及び方法により達成される。
【０００７】
（１）  携帯端末装置と該携帯端末装置に充電用の電源を供給する電源供給装置との間でデータ転送、データ交換、データバックアップを行うデータバックアップシステムであって、前記携帯端末装置側に、画像データ、音声データ、メールデータを含む各種データを記憶する第１のデータ記憶手段と、前記第１のデータ記憶手段におけるデータ記憶の履歴を管理するデータ管理手段と、前記電源供給装置との間のデータ授受を制御する端末側制御手段と、を備え、前記電源供給装置側に、前記携帯端末装置に転送するデータを一時的に記憶する第２の記憶手段と、ユーザの操作により前記第２の記憶手段に記憶されているデータを選択するデータ選択手段と、前記電源供給装置による前記携帯端末装置の充電時に前記端末側制御手段と通信を行い、前記携帯端末装置の前記データ管理手段が管理している履歴を読み取り、該履歴に基づき前記データ選択手段で選択されたデータの前記携帯端末装置への転送又は前記データ選択手段で選択されたデータと前記携帯端末装置のデータとの交換又は前記携帯端末装置のデータのバックアップを行う電源供給側制御手段と、を備える。
【０００８】
（２）  上記（１）に記載のデータバックアップシステムにおいて、前記データ管理手段は、データ毎に閲覧の有無、閲覧後の廃棄設定の有無、閲覧後の保存設定の有無を管理し、前記電源供給側制御手段は、閲覧済みで廃棄設定されているデータを削除し、閲覧済みで保存設定されているデータをバックアップする。
【０００９】
（３）  上記（１）又は（２）に記載のデータバックアップシステムにおいて、前記電源供給側制御手段は、前記データ選択手段で選択されたデータを前記携帯端末装置に転送する際に前記第１のデータ記憶手段の空き容量を確認し、空き容量が無い場合には警告を発し、空き容量が有る場合には前記データ選択手段で選択されたデータを前記携帯端末装置に転送する。
【００１０】
（４）  上記（１）乃至（３）のいずれかに記載のデータバックアップシステムにおいて、前記電源供給側制御手段は、パーソナルコンピュータを含む情報機器からのデータを取得して前記第２の記憶手段に記憶させる。
【００１１】
（５）  上記（４）に記載のデータバックアップシステムにおいて、前記電源供給装置側に、タイマ時間をユーザが任意設定可能なタイマ手段を備え、前記電源供給側制御手段は、前記タイマ手段で設定されたタイマ時間に前記情報機器からのデータを取得して前記第２の記憶手段に記憶させる。
【００１２】
（６）  充電可能な電池を持ち該電池により動作する携帯端末装置であって、画像データ、音声データ、メールデータを含む各種データを記憶するデータ記憶手段と、前記データ記憶手段の履歴を管理するデータ管理手段と、充電用の電源を出力する電源供給装置との間のデータ授受を制御する端末側制御手段と、を備える。
【００１３】
（７）  携帯端末装置に充電用の電源を供給する電源供給装置であって、前記携帯端末装置に転送するデータを一時的に記憶する記憶手段と、ユーザの操作により前記記憶手段に記憶されているデータを選択するデータ選択手段と、前記携帯端末装置の充電時に該携帯端末装置と通信を行い、該携帯端末装置が扱った画像データ、音声データ、メールデータを含む各種データの履歴内容に基づき、前記データ選択手段で選択されたデータの前記携帯端末装置への転送又は前記データ選択手段で選択されたデータと前記携帯端末装置のデータとの交換又は前記携帯端末装置のデータのバックアップを行う電源供給側制御手段と、を備える。
【００１４】
（８）  携帯端末装置と該携帯端末装置に充電用の電源を供給する電源供給装置との間でデータ転送、データ交換、データバックアップを行うデータバックアップ方法であって、前記携帯端末装置側では、画像データ、音声データ、メールデータを含む各種データを記憶するとともにデータ記憶に関する履歴を管理し、前記電源供給装置側では、前記携帯端末装置に転送するデータを一時的に記憶し、また記憶したデータのユーザによる選択を可能とし、前記携帯端末装置を充電する時に前記携帯端末装置におけるデータ記憶に関する履歴を読み取り、該情報に基づき、ユーザが選択したデータの前記携帯端末装置への転送又はユーザが選択したデータと前記携帯端末装置が蓄積しているデータとの交換又は蓄積しているデータのバックアップを行う。
【発明の効果】
【００１５】
上記（１）に記載のデータバックアップシステムでは、予めユーザがデータを選択しておくことで、電源供給装置による携帯端末装置の充電時に携帯端末装置との間でデータの転送、交換、バックアップを行うので、ユーザがいちいち直接に介在しなくても携帯端末装置に対するデータ処理を行うことが可能となる。
【００１６】
上記（２）に記載のデータバックアップシステムでは、データ管理手段がデータ毎に閲覧の有無、閲覧後の廃棄設定の有無、閲覧後の保存設定の有無を管理し、電源供給側制御手段が、閲覧済みで廃棄設定されているデータについては削除し、閲覧済みで保存設定されているデータについてはバックアップするので、閲覧済みのデータの削除、バックアップに関する操作をユーザから開放でき、データ処理における操作の簡略化が図れる。
【００１７】
上記（３）に記載のデータバックアップシステムでは、ユーザがデータ選択手段を用いて選択した記憶手段のデータを携帯端末装置に転送する際に、携帯端末装置のデータ蓄積手段の空き容量を確認し、空き容量が無い場合には警告を発し、空き容量が有る場合には選択された記憶手段のデータを携帯端末装置に転送するので、効率の良いデータ管理が可能となる。
【００１８】
上記（４）に記載のデータバックアップシステムでは、パーソナルコンピュータを含む情報機器からデータを取得してそれを記憶手段に記憶させることができるので、ユーザの好みのデータを携帯端末装置に転送することが可能となる。
【００１９】
上記（５）に記載のデータバックアップシステムでは、ユーザが設定したタイマ時間に達すると、パーソナルコンピュータを含む情報機器からデータを取得してそれを記憶手段に記憶するので、タイマ時間を設定しておくだけでユーザの好みのデータで時間指定されたものを容易に取得することができる。
【００２０】
上記（６）に記載の携帯端末装置では、電源供給装置との間で、データの転送、データの交換、データのバックアップを行うことが可能となる。
【００２１】
上記（７）に記載の電源供給装置では、携帯端末装置との間で、データの転送、データの交換、データのバックアップを行うことが可能となる。
【００２２】
上記（８）に記載のデータバックアップ方法によれば、予めユーザがデータを選択しておくことで、電源供給装置による携帯端末装置の充電時に携帯端末装置との間でデータの転送、交換、バックアップを行うので、ユーザがいちいち直接に介在しなくても携帯端末装置に対するデータ処理を行うことが可能となる。
【発明を実施するための最良の形態】
【００２３】
以下、本発明を実施するための好適な実施の形態について、図面を参照して詳細に説明する。
【００２４】
（実施の形態１）
図１は、本発明の実施の形態１に係るデータバックアップシステムの外観を示す斜視図であり、図２はその概略構成を示すブロック図である。図１において、本実施の形態のデータバックアップシステムは、携帯端末装置２００のデータをバックアップするものであり、それを実現する機能は主に携帯端末装置２００にバッテリ充電用の電源を供給する電源供給装置１００を有している。電源供給装置１００と携帯端末装置２００は充電端子１０８及び２０８と接続インターフェース１０７及び２０７が接続ケーブル１１１及び１１２を介して接続される。
【００２５】
また、本実施の形態のデータバックアップシステムは、携帯端末装置２００からバックアップしたデータの蓄積先並びに携帯端末装置２００にデータを供給するデータ供給元としてパーソナルコンピュータ（以下、パソコンと言う）３００も有している。パソコン３００と電源供給装置１００はケーブル３０１で接続される。なお、パソコン３００と電源供給装置１００を接続するためのインターフェースとしてＵＳＢ（Universal Serial Bus）インターフェースなどがあるが、ＬＡＮ経由の接続などでも構わない。
【００２６】
以下、電源供給装置１００、携帯端末装置２００、パソコン３００の順で説明する。
【００２７】
《電源供給装置１００》
図３は、図２の電源供給装置１００の拡大図である。この図において、電源供給装置１００は、充電回路部１０１、メモリ部（第２の記憶手段）１０２、制御部（電源供給制御手段）１０４、表示部１０５、キー入力部（データ選択手段）１０６、接続インターフェース１０７、充電端子１０８及び外部接続インターフェース１０９を備えている。充電回路部１０１は、商用電源（例えば交流１００Ｖ）から携帯端末装置２００で必要とされる充電用の電源を生成する。メモリ部１０２は、一時的に携帯端末装置２００へ送るデータを記憶する。メモリ部１０２に記憶されるデータとしては、後述するデータの種類やサイズや時刻を表すデータがあり、このデータはパソコン３００から送られてくる。
【００２８】
キー入力部１０６は、電源供給装置１００の操作に使用され、各キースイッチに対応するキー信号を出力する。充電端子１０８は、充電回路部１０１と携帯端末装置２００とを接続する。充電端子１０８は電圧変動の有無を監視し検出する機能を有しており、定期的に携帯端末装置２００の接続の有無を判定する。そして、携帯端末装置２００が接続されたと判断した場合にはその旨を充電回路部１０１に知らせる。充電回路部１０１は、充電端子１０８から携帯端末装置２００が接続されたことを知らせる通知を受け取ると、制御部１０４に通知するとともに充電用の電源を出力する。
【００２９】
接続インターフェース１０７は、電源供給装置１００と携帯端末装置２００とを接続する。外部接続インターフェース１０９は、電源供給装置１００とパソコン３００とを接続する。制御部１０４は、電源供給装置１００の各部を制御するものであり、特に携帯端末装置２００が接続された場合には携帯端末装置２００に対するデータ処理を行う。この場合、携帯端末装置２００が電源供給装置１００にセットされることでデータ処理が開始される。また予めキー入力部１０６にてデータ処理を設定しておくことで、携帯端末装置２００が電源供給装置１００にセットされる毎に自動的にデータのバックアップ、データ交換、データ転送が行われる。
【００３０】
《携帯端末装置２００》
図４は、図２の携帯端末装置２００の拡大図である。この図では携帯端末装置２００の電源部分とデータ処理部分の概略構成を示している。携帯端末装置２００の電源部分とデータ処理部分は、バッテリ部２０１、データ蓄積部（第１の記憶手段）２０２、データ管理部（データ管理手段）２０３、制御部（端末側制御手段）２０４、表示部２０５、接続インターフェース２０７及び充電端子２０８を備えて構成される。バッテリ部２０１は、充電用バッテリ（図示略）を有し、充電端子２０８を介して電源供給装置１００より供給される充電用電源を使用して充電用バッテリを充電する。なお、充電用バッテリにリチウム電池を使用することで、途中での継ぎ足しが可能であるので、バッテリの充電ポインタに従って充電を開始する。データ蓄積部２０２は、携帯端末装置２００で使用されるデータを記憶する。例えば、映像データ、音楽データ、メールデータ等の各種データを記憶する。データ管理部２０３は、データ蓄積部２０２に記憶されたデータの閲覧状況等を管理する。表示部２０５は、データ蓄積部２０２に記憶されたデータ内容や映像情報等の表示を行う。制御部２０４は装置各部を制御する。
【００３１】
制御部２０４は、電源供給装置１００から充電用電源の供給が開始されたことを検知すると、電源供給装置１００の制御部１０４と通信を行ってデータ処理を実施するか否かを判断する。データ蓄積部２０２に保管されているデータには“種類”、“属性”などがあり、さらに“属性”の中には、“未閲覧”、“閲覧済み”、“データの保存”、“交換更新可”などの情報がある。データ管理部２０３は、“未閲覧”、“閲覧済み”、“データの保存”、“交換更新可”などの項目に対して、フラグを立てることで項目毎の区別を行うようにしている。ここで、携帯端末装置２００の制御部２０４は、“交換更新可”の情報が有る場合で電源供給装置１００のメモリ部１０２に新規データが有る場合、データ蓄積部２０２の“交換更新可”となったデータを消去する。また、“交換更新可”以外の場合はデータ蓄積部２０２にデータ転送の空き領域が有るかどうかを確認し、空き領域が有る場合は電源供給装置１００のメモリ部１０２から新規データの転送を開始する。
【００３２】
《パソコン３００》
パソコン３００は、予め決められたフォーマット（即ち携帯端末装置２００で表示可能なデータの種類やサイズ等のフォーマット）でデジタルデータ化された静止画あるいは動画のデータがパソコン３００に内蔵されたハードディスクなどの記憶装置又はパソコン３００に接続されたハードディスクなどの外部記憶装置に格納している。パソコン３００は、電源供給装置１００に対して記憶装置（又は外部記憶装置）に格納されたデータの種類やサイズや時刻を通知する。情報は電源供給装置１００のメモリ部１０２に格納される。
【００３３】
次に、上記構成のデータバックアップシステムの動作について説明する。図５は、データバックアップシステムの動作を示すフローチャートである。この場合、パソコン３００から電源供給装置１００にパソコン３００の記憶装置（又は外部記憶装置）に格納されたデータの種類やサイズや時刻が通知されて、その情報が電源供給装置１００のメモリ部１０２に記憶されているものとする。そして、これにより電源供給装置１００の表示部１０５にはパソコン３００から得られた情報が表示されるので、ユーザはその表示を見て欲しい情報を入力キー部１０６にて選択する。一方、携帯端末装置２００側では、ユーザが予め次のような設定をしておく。すなわち、データ蓄積部２０２に記憶されているデータを閲覧した後にそのデータを廃棄するか、保存するかを決めてそれを設定しておく。
【００３４】
予めユーザが所望とする情報が設定された後、携帯端末装置２００が電源供給装置１００にセットされると、電源供給装置１００の制御部１０４は充電端子１０８からの情報により携帯端末装置２００が電源供給装置１００に接続されたことを認識し、携帯端末装置２００へ充電用の電源の供給を開始するとともに携帯端末装置２００のデータ処理（データチェック）を開始する。すなわち、データ管理部２０３の管理情報から閲覧情報の確認を行う（ステップＳ１０）。
【００３５】
上述したように、データ管理部２０３にはデータ蓄積部２０２に記憶されているデータの種類、属性などを表す情報が保持されている。この場合、属性を表す情報として、未閲覧、閲覧済み、データの保存、廃棄などがあり、該当する情報の項目のフラグが立つようになっている。例えば複数のデータがあってその中の１つのデータが閲覧済みであれば、閲覧済みを表すフラグが立つ。また、あるデータが保存された場合（つまりバックアップされた場合）はデータの保存を表すフラグが立つ。さらに、あるデータが廃棄された場合（つまり削除された場合）は廃棄を表すフラグが立つ。このようにデータの扱いが履歴としてデータ管理部２０３に保持されることになる。この履歴は所定期間毎に更新され、古い履歴は廃棄される。
【００３６】
電源供給装置１００の制御部１０４は携帯端末装置２００のデータ蓄積部２０２に格納されている最初のデータ（例えば、最も古いデータ）が閲覧済みであるか否かを判定し（ステップＳ１１）、閲覧済みでなければ最終データ（例えば、最も新しいデータ）であるかどうかを判定する（ステップＳ１２）。最終データでなければステップＳ１０に戻り、次データの閲覧の有無を判定する。例えば次データが閲覧済みであれば、廃棄設定されているかどうかを判定し（ステップＳ１３）、廃棄設定されていれば当該データの削除（消去）を行う（ステップＳ１４）。これに対して廃棄設定されていなければ、保存設定されているかどうかを判定する（ステップＳ１５）。この判定において保存設定されていれば当該データをバックアップする（ステップＳ１６）。すなわち、当該データをデータ蓄積部２０２より読み出してマイコン３００に転送する。以上のステップＳ１０からステップＳ１６の処理をメモリ部１０２に格納されている全てのデータに対して行う。
【００３７】
携帯端末装置２００の全データに対する閲覧情報の確認を行った後、データ蓄積部２０２の空き容量を確認する（ステップＳ１７及びステップＳ１８）。空き容量が無ければ表示部１０５に警告表示を行って（ステップＳ１９）、本処理を終了する。これに対してデータ蓄積部２０２に空き容量が有れば、電源供給装置１００のメモリ部１０２に格納しているデータを携帯端末装置２００のデータ蓄積部２０２に転送する（ステップＳ２０）。そして、データ転送終了かどうかを判定し（ステップＳ２１）、転送終了でなければステップＳ１７に戻り、転送を継続する。その後、データ転送が終了すると、データ転送が終了した旨の表示を表示部１０５にて行い（ステップＳ２２）、本処理を終了する。
【００３８】
このように本実施の形態のデータバックアップシステムによれば、ユーザが予めキー入力部１０６にてデータ処理を設定しておくことで、携帯端末装置２００が電源供給装置１００にセットされる毎に自動的にデータのバックアップ、データ交換、データ転送を行うので、ユーザがいちいち直接に介在しなくても携帯端末装置に対するデータ処理を行うことができる。
【００３９】
また、データ管理部２０３がデータ毎に閲覧の有無、閲覧後の廃棄設定の有無、閲覧後の保存設定の有無を管理し、電源供給装置１００の制御部１０４が、閲覧済みで廃棄設定されているデータについては削除し、閲覧済みで保存設定されているデータについてはバックアップするので、閲覧済みのデータの削除、バックアップに関する操作をユーザから開放でき、データ処理における操作の簡略化が図れる。
【００４０】
また、ユーザがキー入力部１０６を用いて選択したメモリ部１０２のデータを携帯端末装置２００に転送する際に、携帯端末装置２００のデータ蓄積部２０２の空き容量を確認し、空き容量が無い場合には警告を発し、空き容量が有る場合にはユーザが選択したメモリ部１０２のデータを携帯端末装置２００に転送するので、効率の良いデータ管理ができる。
【００４１】
また、パソコン３００からデータを取得してそれをメモリ部１０２に記憶させることができるので、ユーザの好みのデータを携帯端末装置２００に転送することができる。
【００４２】
また、ユーザによって設定されたタイマ時間に達すると、パソコン３００からデータを取得してそれをメモリ部１０２に記憶させるので、タイマ時間を設定しておくだけで、ユーザの好みのデータで時間指定されたものを容易に取得することができる。
【００４３】
（実施の形態２）
図６は、本発明の実施の形態２に係るデータバックアップシステムの電源供給装置１００Ａの概略構成を示すブロック図である。この図において、本実施の形態の電源供給装置１００Ａは、上述した電源供給装置１００と同一の構成に加えてアンテナ１２１に接続された映像受信回路１２０とタイマ部（タイマ手段）１０３とを備えている。映像受信回路１２０で映像受信データ及び番組プログラムを受信してメモリ部１０２に蓄積するとともに、表示部１０５に表示してユーザによる選択を可能としたものである。ユーザは入力キー部１０６を操作して、録画しておきたい所望の番組を設定する。
【００４４】
制御部１０４は、パソコン３００に録画プログラムが設定されているかどうか、パソコン３００に問い合わせて確認を行い、設定されている場合にその録画プログラムを取得する。そして、取得した録画プログラムをタイマ部１０３に設定する。次いで、設定した録画プログラムに従い、所定の時刻以降即ちパソコン３００にて録画が実行された時刻以降を見計らってパソコン３００の記憶装置（又は外部記憶装置）に蓄積されたデータを取得してメモリ部１０２に蓄積する。そして、必要に応じてメモリ部１０２に蓄積したデータを携帯端末装置２００に転送する。このように電源供給装置１００Ａはパソコン３００のデータを携帯端末装置２００に転送する処理を行う。
【００４５】
なお、本実施の形態では、映像データを例に説明したが、図６において映像データ受信のための映像受信回路１２０の代わりにラジオ受信回路、無線ＬＡＮ回路など、受信するデータの種類による回路であれば良い。これにより、音楽データ、ゲームなどのアプリケーションデータなどへの応用も可能である。
【産業上の利用可能性】
【００４６】
本発明は、ユーザがいちいち直接に介在しなくても携帯端末装置に対するデータ処理を行うことができるといった効果を有し、携帯電話などの携帯端末装置とそのバッテリを充電する電源供給装置などへの適用が可能である。
【図面の簡単な説明】
【００４７】
【図１】本発明の実施の形態１に係るデータバックアップシステムの外観を示す斜視図
【図２】実施の形態１に係るデータバックアップシステムの概略構成を示すブロック図
【図３】実施の形態１に係るデータバックアップシステムの電源供給装置の概略構成を示すブロック図
【図４】実施の形態１に係るデータバックアップシステムの携帯端末装置の電源部分とデータ処理部分の概略構成を示すブロック図
【図５】実施の形態１に係るデータバックアップシステムの動作を説明するためのフローチャート
【図６】本発明の実施の形態２に係るデータバックアップシステムの電源供給装置の概略構成を示すブロック図
【符号の説明】
【００４８】
１００、１００Ａ  電源供給装置
１０１  充電回路部
１０２  メモリ部
１０３  タイマ回路
１０４、２０４  制御部
１０５  表示部
１０６  キー入力部
１０７、２０７  接続インターフェース
１０８、２０８  充電端子
１０９  外部接続インターフェース
１１１、１１２  ケーブル
１２０  映像受信回路
１２１  アンテナ
２００  携帯端末装置
２０１  バッテリ部
２０２  データ蓄積部
２０３  データ管理部
２０５  表示部
３００  パソコン
３０１  ケーブル
【図１】
2006211008.tif 000003
【図２】
2006211008.tif 000004
【図３】
2006211008.tif 000005
【図４】
2006211008.tif 000006
【図５】
2006211008.tif 000007
【図６】
2006211008.tif 000008